(57)【要約】【課題】糸鋸機の運転中に電源の障害により機械が停止した後に改めて電源が復旧しても、糸鋸刃が動き出すことがない糸鋸機を提供すること。【解決手段】起動のための第１のスイッチＳＷ１が接点ａ側に操作されると、リレー接点１０Ａが閉じ、モータ６に給電される。第１のスイッチが接点ｂ側に戻っても、リレー装置１０は、モータ６へ給電し続ける第１の保持状態を取る。糸鋸機の運転中に電源の障害により機械が停止すると、モータ６およびリレー装置１０への給電が遮断され、その結果リレー接点１０Ａが開放される。その後に電源が復旧しても、第１のスイッチＳＷ１は接点ｂ側にあり、リレー接点１０Ａも開放状態にあるので、モータ６への給電は再開されない第２の保持状態を取る。つまり、鋸刃が動き出すことはない。【選択図】図２
0003180350.tif 000002
【実用新案登録請求の範囲】
【請求項１】
差込プラグを差し込み口に差し込んで電源の供給を受けることで駆動される駆動源によって鋸刃を往復動させてワークを切断する糸鋸機において、
前記駆動源に電源を供給するための第１のスイッチと、
前記駆動源への電源供給を遮断するための第２のスイッチと、
自己保持機能を備えたリレー装置とを前記駆動源に電源を供給するための電気的回路内に備え、
前記リレー装置は前記駆動源に対して電源を供給する第１の保持状態と、前記駆動源に対して電源を供給しない第２の保持状態を取りうるものとし、前記第１のスイッチの入力に基づいて前記リレー装置は前記第１の保持状態を取るとともに前記第２のスイッチの入力に基づいて前記第２の保持状態を取り、
前記第１の保持状態で前記差込プラグを前記差し込み口から外した後に、再度前記差込プラグを前記差し込み口に取り付けた際又は前記差し込み口で停電となった後に、その停電が解消された際には、前記リレー装置は第２の保持状態を取るものとしたことを特徴とする糸鋸機。
【考案の詳細な説明】
【技術分野】
【０００１】
本考案は、糸鋸機に関するものである。
【背景技術】
【０００２】
糸鋸機は、ワークをテーブル上に載せ、上下方向に往復動する鋸刃により切断する。鋸刃の起動停止は、鋸刃駆動用モータへの給電を制御するスイッチにより行う。このような糸鋸機の先行技術として特許文献１を示す。
【先行技術文献】
【特許文献】
【０００３】
【特許文献１】特開平１１−１２９２０２号公報
【考案の概要】
【考案が解決しようとする課題】
【０００４】
従来、給電を制御するスイッチとして、押しボタン式スイッチあるいはシーソ式スイッチが用いられることが多く、押しボタンあるいはシーソを操作位置に機械的にロック状態にしてモータへの給電を継続しロック状態を解除することで糸鋸機の運転を停止する。
糸鋸機の運転中に差込プラグが電源供給用の差し込み口から抜けたり、その差し込み口への電源の供給が停止すなわち停電があったりする等の電源障害により、機械が停止した後、電源が復旧するとスイッチは給電可能状態にロックされているため、電源復旧に伴って鋸刃が再度動き出すこととなる。しかし、ユーザーとしてはそのような場合にはできれば改めて初期状態として再度スイッチを操作することで作業を再開したいと考えることが多い。
本考案は、糸鋸機の運転中に電源の障害により機械が停止した後に電源が復旧しても、鋸刃が動き出すことがない糸鋸機を提供することにある。
【課題を解決するための手段】
【０００５】
上記の目的を達成するため、差込プラグを差し込み口に差し込んで電源の供給を受けることで駆動される駆動源によって鋸刃を往復動させてワークを切断する糸鋸機において、前記駆動源に電源を供給するための第１のスイッチと、前記駆動源への電源供給を遮断するための第２のスイッチと、自己保持機能を備えたリレー装置とを前記駆動源に電源を供給するための電気的回路内に備え、前記リレー装置は前記駆動源に対して電源を供給する第１の保持状態と、前記駆動源に対して電源を供給しない第２の保持状態を取りうるものとし、前記第１のスイッチの入力に基づいて前記リレー装置は前記第１の保持状態を取るとともに前記第２のスイッチの入力に基づいて前記第２の保持状態を取り、前記第１の保持状態で前記差込プラグを前記差し込み口から外した後に、再度前記差込プラグを前記差し込み口に取り付けた際又は前記差し込み口で停電となった後に、その停電が解消された際には前記リレー装置が第２の保持状態を取るようにしたことをその要旨とする。
【考案の効果】
【０００６】
本考案の糸鋸機では、糸鋸機の運転中に差込プラグが差し込み口から抜けたり、差し込み口で停電となる等の電源の障害により機械が停止した後に電源が復旧しても、改めて第１のスイッチを入力しないと鋸刃は動かない。
【図面の簡単な説明】
【０００７】
【図１】本考案の実施の形態の糸鋸機の側面図。
【図２】上記糸鋸機の電気回路図。
【図３】上記電気回路図の動作説明図。
【図４】変形例の電気回路図。
【考案を実施するための形態】
【０００８】
以下、本考案の実施の形態の糸鋸機を図面に基づいて説明する。
図１に示すように、糸鋸機１には、箱状の機台２と、その機台２の後面から機台２の上方へ湾曲して延びるアーム３とが備えられている。機台２の上面には、テーブル４がほぼ水平あるいは傾斜可能に配置されている。機台２とアーム３との間には鋸刃５が上下方向に橋渡されている。鋸刃５は機台２内に配置した駆動源たとえばモータ６により運動変換機構７を介して、テーブル４を貫通して往復動される。被切断材料すなわちワーク８は、テーブル４上面に載置され、そのテーブル４上を滑らせながら、往復動する鋸刃５によって切断される。
機台２の前面には、起動、停止のための第１及び第２のスイッチを操作する押しボタン１１，１２が配置されている。
【０００９】
図２に示すように、本実施の形態の糸鋸機の電気的な回路において起動のための第１のスイッチＳＷ１は、可動接片を常時第２の接点ｂ側に閉じるようにバネ等で付勢されており、押しボタンＳＷ１Ａを押している間だけ第１の接点ａ側に閉じるように構成されている。停止のための第２のスイッチＳＷ２は、可動接片を常時接点に接触させるようにバネ等で付勢されており、押しボタンＳＷ２Ａを押している間だけ回路を開放するように構成されている。
リレー装置１０は、リレー接点１０Ａ、励磁コイル１０Ｂ及び保持コイル１０Ｃを備える。励磁コイル１０Ｂ及び保持コイル１０Ｃは共通の鉄心１０Ｅのまわりに巻回され、それぞれの励磁によって可動磁性体レバー１０Ｆを吸引してリレー接点１０Ａを閉じるように構成されている。
【００１０】
第１のスイッチＳＷ１の第１の接点ａに接続された回路（導線）は、励磁コイル１０Ｂに直列に接続され、第２の接点ｂに接続された回路（導線）は、リレー接点１０Ａを介してモータ６及び保持コイル１０Ｃに直列に接続されている。
第２のスイッチＳＷ２は、少なくとも保持コイル１０Ｂに直列に接続されていればよいが、実施形態では第１のスイッチＳＷ１、モータ６及びリレー装置１０に直列に接続されている。
このような糸鋸機の電気的な回路は、差込プラグ１３を電源供給用の差し込み口に差し込むことにより、電源が供給される。
【００１１】
このように構成された糸鋸機においては、ボタン１１を押して第１のスイッチＳＷ１を接点ａ側に閉じることで、リレー装置１０内の励磁コイル１０Ｂが励磁され、リレー接点１０Ａが閉じられる。ボタン１１から指を離して第１のスイッチＳＷ１を接点ｂ側に復帰させることで、その接点ｂを通して、閉じているリレー接点１０Ａ及び保持コイル１０Ｃへの給電が開始される。その結果、リレー接点１０Ａは、第１のスイッチＳＷ１が接点ｂ側に復帰しても閉じた状態で保持される。つまり、リレー装置１０はモータ６に対して電源を供給する第１の保持状態を取る。これによりモータ６が駆動されて鋸刃５の往復動が開始される。
なお、第１のスイッチＳＷ１が接点ａから接点ｂに切り替わる際、一旦励磁コイル１０Ｂへの給電が遮断されるが、第１のスイッチＳＷ１のバネのトグル作用による切り替わる時間Ｔ１が、励磁コイル１０Ｂへの給電が遮断された後リレー接点１０Ａが開放されるまでの時間Ｔ２よりも短いため、第１のスイッチＳＷ１が接点ｂ側に閉じたとき、リレー接点１０Ａを介してリレーコイル１０への給電が維持される。
一方、ボタン１２を押して停止スイッチＳＷ２を開放すると、保持コイル１０Ｃが非給電状態となってリレー接点１０Ａは開放され、モータ６への給電が遮断される。ボタン１２から指を離して停止スイッチＳＷ２が閉じた状態に復帰しても、第１のスイッチＳＷ１は接点ａを開放し、リレー接点１０Ａも開放しているから、モータ６への給電遮断状態を保持する。つまり、リレー装置１０はモータ６に対して電源を供給しない第２の保持状態を取る。そのため、機械は停止される。
図３において、Ａの範囲は、正常に糸鋸機を起動、停止した場合のスイッチＳＷ１，ＳＷ２の切り替え、モータ６及びリレー装置１０への給電状態を示す。なお、「電源」は、差込プラグ１３での状態を示す。
【００１２】
図３のＢの範囲は、糸鋸機の運転中に停電があったり差込プラグ１３が抜かれるなどして電源が遮断され、その後復旧した場合の給電状態を示す。このように電源が遮断されると、モータ６への給電が遮断され、同時に保持コイル１０Ｃが非給電状態となってリレー接点１０Ａは開放される（図３の「電源遮断」位置）。その後に、再度差込プラグ１３を差し込み口に取り付け、又は停電状態が解消されても、第１のスイッチＳＷ１は接点ａを開放し、リレー接点１０Ａも開放しているから、モータ６への給電遮断状態を保持する（図３の「電源復旧」位置）。つまり、リレー装置１０はモータ６に対して電源を供給しない第２の保持状態を取っているから、鋸刃５が突然に動き出すことはない。
この場合にモータ６に給電するためには改めてボタンＳＷ１Ａを押して起動スイッチＳＷ１を接点ａ側に閉じる必要がある。
【００１３】
図４は、回路図の変形例を示す。図３の第１のスイッチＳＷ１に代えて単極単型の第１のスイッチＳＷ３が用いられる。図３の接点ｂは省略され、リレー接点１０Ａは、この第１のスイッチＳＷ３と並列に接続されている。また、リレー装置１０は、１つのコイル１０Ｄでリレー接点１０Ａを操作する構成のものが用いられる。
第１のスイッチＳＷ３を閉じると、モータ６及びコイル１０に給電されるとともにコイル１０によりリレー接点１０Ａが閉じられ、第１のスイッチＳＷ３が開放されても、モータ６及びコイル１０への給電が保持される（つまり第１の保持状態を取る）。
第２のスイッチＳＷ２を開放すると、モータ６及びコイル１０への給電が遮断され、リレー接点１０Ａも開放される。その結果、第２のスイッチＳＷ２が閉じた状態に戻っても、第１のスイッチＳＷ３は開放され、リレー接点１０Ａも開放されているから、モータ６への給電遮断状態を保持する（つまり第２の保持状態を取る）。
また、糸鋸機の運転中に、前記と同様に停電があったり差込プラグ１３が抜かれるなどして電源が遮断されると、モータ６及びコイル１０への給電が遮断され、リレー接点１０Ａも開放される。このとき、第１のスイッチＳＷ３は開放状態にあるので、電源が復旧してもモータ６への給電が再開されることはない（つまり第２の保持状態を取る）。
つまり、変形例においても、図３のものと同様の効果を奏する。
【００１４】
尚、この考案は、次のように変更して具体化することも可能である。
・リレー装置１０は、コイル及びリレー接点に代えて、半導体回路を用いてもよい。
・各スイッチは、押しボタン式のものだけでなく、揺動式のものなど各種のものを用いることができる。
・その他、本考案の趣旨を逸脱しない態様で実施することは自由である。
【符号の説明】
【００１５】
５…鋸刃、６…駆動源としてのモータ、８…ワーク、１０…リレー装置、１０Ａ…リレー接点、１３…差込プラグ、ＳＷ１（ＳＷ３）…第１のスイッチ、ＳＷ２…第２のスイッチ。
【図１】
0003180350.tif 000003
【図２】
0003180350.tif 000004
【図３】
0003180350.tif 000005
【図４】
0003180350.tif 000006